(57)【要約】      （修正有）【課題】ＩＣカードの、光ディスクドライブ部への誤挿入を抑制する。【解決手段】テレビジョン受像機１のカード検出部７１は、所定のカードを検出する。引き込み部６２は、メディアを引き込む。制御部２２は、カード検出部７１の検出結果に基づいて、引き込み部６２を制御する。【選択図】図１
2013012268.tif 000002
【特許請求の範囲】
【請求項１】
所定のカードを検出するカード検出部と、
メディアを引き込む引き込み部と、
前記カード検出部の検出結果に基づいて、前記引き込み部を制御する制御部と
を備える情報処理装置。
【請求項２】
前記制御部は、前記カード検出部により前記所定のカードが検出された場合、前記引き込み部の動作を許容し、前記カード検出部により前記所定のカードが検出されない場合、前記引き込み部の動作を禁止する
請求項１に記載の情報処理装置。
【請求項３】
前記制御部は、前記カード検出部により前記所定のカードが検出された場合、前記引き込み部への電源供給を許容し、前記カード検出部により前記所定のカードが検出されない場合、前記引き込み部への電源供給を禁止する
請求項２に記載の情報処理装置。
【請求項４】
前記引き込み部への電源供給を制御する強制電源制御部をさらに備え、
前記制御部は、前記強制電源制御部により電源供給が指示された場合、前記カード検出部の検出結果に拘らず、前記引き込み部への電源供給を許容する
請求項３に記載の情報処理装置。
【請求項５】
前記メディアを検出するメディア検出部をさらに備え、
前記制御部は、前記カード検出部により前記所定のカードが検出されておらず、かつ、前記メディア検出部により前記メディアが検出された場合、前記引き込み部に前記メディアを排出させる
請求項２に記載の情報処理装置。
【請求項６】
前記引き込み部は、前記メディアを排出する動作の開始後、所定時間が経過した場合、前記メディアを引き込む
請求項５に記載の情報処理装置。
【請求項７】
前記カード検出部により前記所定のカードが検出されなかった場合、警告情報を出力する出力部をさらに備える
請求項６に記載の情報処理装置。
【請求項８】
前記引き込み部に前記メディアの引き込みを指示する強制挿入制御部をさらに備え、
前記制御部は、前記強制挿入制御部により引き込みが指示された場合、前記カード検出部の検出結果に拘らず、前記メディアを引き込むように前記引き込み部を制御する
請求項７に記載の情報処理装置。
【請求項９】
前記引き込み部の挿入口に設置された蓋を制御する蓋制御部をさらに備え、
前記蓋制御部は、前記カード検出部により前記所定のカードが検出された場合、前記蓋を開放し、前記カード検出部により前記所定のカードが検出されていない場合、前記蓋を閉鎖する
請求項８に記載の情報処理装置。
【請求項１０】
前記蓋制御部に前記蓋の開放を指示する強制開放制御部をさらに備え、
前記蓋制御部は、前記強制開放制御部により前記蓋の開放が指示された場合、前記カード検出部による検出結果に拘らず、前記蓋を開放する
請求項９に記載の情報処理装置。
【請求項１１】
所定のカードを検出するカード検出ステップと、
メディアを引き込む引き込みステップと、
前記カード検出ステップの処理の検出結果に基づいて、前記引き込みステップの処理を制御する制御ステップと
を含む情報処理方法。
【請求項１２】
コンピュータに、
所定のカードを検出するカード検出ステップと、
メディアを引き込む引き込みステップと、
前記カード検出ステップの処理の検出結果に基づいて、前記引き込みステップの処理を制御する制御ステップと
を実行させるためのプログラム。
【発明の詳細な説明】
【技術分野】
【０００１】
本技術は情報処理装置および方法、並びにプログラムに関し、特に、誤挿入を抑制するようにした情報処理装置および方法、並びにプログラムに関する。
【背景技術】
【０００２】
デジタル放送信号を受信するテレビジョン受像機などでは、映像信号のスクランブルを解除するためにIC（Integrated Circuit）カードが挿入される。ICカードには、有料放送などの契約情報が含まれるため、複数のテレビジョン受像機を有するユーザは、ICカードを差し替えて使用する。
【０００３】
このように、ユーザがテレビジョン受像機によりデジタル放送を視聴するためには、ICカードが必要である。例えば、ICカードの挿入が検出され、電源がオンにされる技術がある（例えば、特許文献１参照）。
【０００４】
また、ICカードが抜かれた場合、アンテナへの電源供給が停止されて、節電する技術も提案されている（例えば、特許文献２参照）。
【先行技術文献】
【特許文献】
【０００５】
【特許文献１】特開２０００−２５１００９号公報
【特許文献２】特開２００１−２６８５３４号公報
【発明の開示】
【発明が解決しようとする課題】
【０００６】
ところで、テレビジョン受像機には、光ディスクの読み書きを行う光ディスクドライブが搭載されたものがある。スロットイン機構の光ディスクドライブでは、ユーザにより光ディスクが挿入口に挿入されると、光ディスクが自動的に引き込まれる。
【０００７】
このような、スロットイン機構の光ディスクドライブは、光ディスクと形状が異なっていても、挿入口に挿入可能な物体が挿入されると、引き込み動作を実行する。
【０００８】
ICカードは、光ディスクと同程度の厚みを有しており、光ディスクより小さいため、光ディスクドライブの挿入口に誤って挿入されると、そのまま誤って引き込まれてしまうおそれがある。
【０００９】
光ディスクドライブに一旦引き込まれてしまうと、ICカードは、光ディスクと形状が異なるため、光ディスクを排出する動作が実行されても光ディスクドライブから排出されないことがある。このような場合、テレビジョン受像機の本体を分解して取り出さなければならない。
【００１０】
本技術は、このような状況に鑑みてなされたものであり、誤挿入を抑制できるようにするものである。
【課題を解決するための手段】
【００１１】
本技術の一側面の情報処理装置は、所定のカードを検出するカード検出部と、メディアを引き込む引き込み部と、前記カード検出部の検出結果に基づいて、前記引き込み部を制御する制御部とを備える。
【００１２】
前記制御部は、前記カード検出部により前記所定のカードが検出された場合、前記引き込み部の動作を許容し、前記カード検出部により前記所定のカードが検出されない場合、前記引き込み部の動作を禁止することができる。
【００１３】
前記制御部は、前記カード検出部により前記所定のカードが検出された場合、前記引き込み部への電源供給を許容し、前記カード検出部により前記所定のカードが検出されない場合、前記引き込み部への電源供給を禁止することができる。
【００１４】
前記引き込み部への電源供給を制御する強制電源制御部をさらに備え、前記制御部は、前記強制電源制御部により電源供給が指示された場合、前記カード検出部の検出結果に拘らず、前記引き込み部への電源供給を許容することができる。
【００１５】
前記メディアを検出するメディア検出部をさらに備え、前記制御部は、前記カード検出部により前記所定のカードが検出されておらず、かつ、前記メディア検出部により前記メディアが検出された場合、前記引き込み部に前記メディアを排出させることができる。
【００１６】
前記引き込み部は、前記メディアを排出する動作の開始後、所定時間が経過した場合、前記メディアを引き込むことができる。
【００１７】
前記カード検出部により前記所定のカードが検出されなかった場合、警告情報を出力する出力部をさらに備えることができる。
【００１８】
前記引き込み部に前記メディアの引き込みを指示する強制挿入制御部をさらに備え、前記制御部は、前記強制挿入制御部により引き込みが指示された場合、前記カード検出部の検出結果に拘らず、前記メディアを引き込むように前記引き込み部を制御することができる。
【００１９】
前記引き込み部の挿入口に設置された蓋を制御する蓋制御部をさらに備え、前記蓋制御部は、前記カード検出部により前記所定のカードが検出された場合、前記蓋を開放し、前記カード検出部により前記所定のカードが検出されていない場合、前記蓋を閉鎖することができる。
【００２０】
前記蓋制御部に前記蓋の開放を指示する強制開放制御部をさらに備え、前記蓋制御部は、前記強制開放制御部により前記蓋の開放が指示された場合、前記カード検出部による検出結果に拘らず、前記蓋を開放することができる。
【００２１】
本技術の一側面の情報処理方法は、所定のカードを検出するカード検出ステップと、メディアを引き込む引き込みステップと、前記カード検出ステップの処理の検出結果に基づいて、前記引き込みステップの処理を制御する制御ステップとを含む。
【００２２】
本技術の一側面のプログラムは、コンピュータに、所定のカードを検出するカード検出ステップと、メディアを引き込む引き込みステップと、前記カード検出ステップの処理の検出結果に基づいて、前記引き込みステップの処理を制御する制御ステップとを実行させる。
【００２３】
本技術の一側面においては、所定のカードが検出され、その検出結果に基づいて、メディアの引き込みが制御される。
【発明の効果】
【００２４】
本技術の側面によれば、誤挿入を抑制することが可能になる。
【図面の簡単な説明】
【００２５】
【図１】テレビジョン受像機の構成を示すブロック図である。
【図２】CPUの機能的構成例を示すブロック図である。
【図３】放送信号制御部の構成を示すブロック図である。
【図４】電源制御処理を説明するフローチャートである。
【図５】テレビジョン受像機の構成を示すブロック図である。
【図６】電源制御処理を説明するフローチャートである。
【図７】テレビジョン受像機の構成を示すブロック図である。
【図８】挿入制御処理を説明するフローチャートである。
【図９】引き込み防止処理を説明するフローチャートである。
【図１０】引き込み防止処理を説明するフローチャートである。
【図１１】引き込み防止処理を説明するフローチャートである。
【図１２】テレビジョン受像機の構成を示すブロック図である。
【図１３】CPUの機能的構成例を示すブロック図である。
【図１４】蓋制御処理を説明するフローチャートである。
【発明を実施するための最良の形態】
【００２６】
以下、本技術を実施するための形態（以下、実施の形態という）について説明する。なお、説明は以下の順序で行う。
＜１＞第１の実施の形態
１．テレビジョン受像機の構成
２．電源制御処理１
３．テレビジョン受像機の構成
４．電源制御処理２
＜２＞第２の実施の形態
５．テレビジョン受像機の構成
６．挿入制御処理
７．引き込み防止処理１
８．引き込み防止処理２
９．引き込み防止処理３
＜３＞第３の実施の形態
１０．テレビジョン受像機の構成
１１．蓋制御処理
１２．その他
【００２７】
＜第１の実施の形態＞
【００２８】
［テレビジョン受像機の構成］
【００２９】
図１は、第１の実施の形態としてのテレビジョン受像機１の構成を示すブロック図である。
【００３０】
図１の情報処理装置としてのテレビジョン受像機１は、光ディスクドライブ２１、CPU（Central Processing Unit）２２、カードスロット２３、放送信号制御部２４、入力部２５、出力部２６、および記憶部２７から構成される。
【００３１】
光ディスクドライブ２１は、挿入された光ディスク１１を駆動させ、読み書きを実行する。光ディスクドライブ２１は、メディア検出部６１、スロットローディング部６２、および電源部６３から構成される。
【００３２】
なお光ディスクドライブ２１の各ブロックは、必要に応じて相互に信号、データを授受することが可能とされている。
【００３３】
メディア検出部６１は、光ディスク１１を含むメディアの光ディスクドライブ２１の挿入口、すなわちスロットへの挿入開始、およびメディアの光ディスクドライブ２１への挿入完了を検出する。
【００３４】
メディア検出部６１は、例えば、メカニカルスイッチ等により構成されており、光ディスクドライブ２１の電源がオフの場合でも、メディアを検出し、テレビジョン受像機１全体の電源がオフされている状態でも待機機能を有するCPU（例えばCPU２２）に通知する。
【００３５】
引き込み部としてのスロットローディング部６２は、メディア検出部６１によりメディアが検出された場合、またはCPU２２により制御された場合、メディアを引き込む。電源部６３は、光ディスクドライブ６１の電源供給を制御する。
【００３６】
CPU２２は、プログラムに従って各種の動作を制御する。図２を参照して、CPU２２の機能的な構成について説明する。
【００３７】
図２は、CPU２２の機能的な構成例を示すブロック図である。CPU２２は、取得部８１、判定部８２、光ディスクドライブ制御部８３、および出力部８４の機能ブロックを有している。
【００３８】
なおCPU２２の各ブロックは、必要に応じて相互に信号、データを授受することが可能とされている。また、CPU２２の各ブロックは、１つのCPU内に限らず、複数のCPU内に別々に配置され、複数のCPUが協調して各ブロックを用いた処理を実行することもできる。
【００３９】
取得部８１は、各種の情報を取得する。判定部８２は、各種の判定処理を実行する。光ディスクドライブ制御部８３は、光ディスクドライブ２１を制御する。出力部８４は、各種の情報を出力する。
【００４０】
図１に戻り、カードスロット２３は、挿入されたICカード１２の情報を取得し、CPU２２に出力する。ICカード１２には、ユーザがテレビジョン受像機１により放送を視聴するのに必要な識別番号、受信条件等のユーザを特定する情報が記憶されている。
【００４１】
カードスロット２３は、カード検出部７１を有している。カード検出部７１は、ICカード１２のカードスロット２３への挿入完了を検出する。カードスロット２３は、カード検出部７１によりICカード１２の挿入完了が検出された場合、ICカード１２の情報を読み出し、CPU２２に出力する。
【００４２】
放送信号制御部２４は、アンテナ１３などを介して取得された信号を出力部２６、記憶部２７に出力する。図３を参照して、放送信号制御部２４の詳細について説明する。
【００４３】
図３は、放送信号制御部２４の構成例を示すブロック図である。
【００４４】
図３の放送信号制御部２４は、取得部１２１、チューナ１２２、復調部１２３、信号処理部１２４、および出力部１２５から構成される。
【００４５】
取得部１２１は、CPU２２を介してカードスロット２３から、挿入されたICカード１２の情報を取得する。
【００４６】
チューナ１２２は、地上デジタル放送、衛星デジタル放送、CATV（Cable Television）網、インターネットなどの伝送路を介して伝送された放送信号を受信し、復調部１２３に出力する。
【００４７】
復調部１２３は、チューナ１２２から供給された信号に対して、復調処理、誤り訂正処理を含む伝送路復号処理を実行し、伝送路復号処理により出力されたデータを信号処理部１２４に出力する。
【００４８】
信号処理部１２４は、取得部１２１によりICカード１２の情報が取得された場合、復調部１２３から供給されたデータに対して、伸張処理、デスクランブル処理などの信号処理を実行し、信号処理により出力されたデータを出力部１２５に出力する。
【００４９】
出力部１２５は、信号処理部１２４から供給されたデータに対して、Ｄ／Ａ変換などの処理を実行し、出力部２６および記憶部２７の少なくとも一方に出力する。
【００５０】
図１に戻り、入力部２５は、リモートコントローラ、キーボード、マウス、ボタンなどのユーザインタフェースにより構成され、所定の情報を入力するときユーザにより操作される。
【００５１】
出力部２６は、例えば、画像や音楽を出力するディスプレイ、スピーカなどにより構成される。記憶部２７は、ハードディスクや不揮発性のメモリなどにより構成される。
【００５２】
［電源制御処理１］
【００５３】
次に図４を参照して、電源制御処理１について説明する。
【００５４】
図４は、テレビジョン受像機１の電源制御処理１を説明するフローチャートである。図４の電源制御処理１は、光ディスクドライブ２１が光ディスク１１の挿入を待機している場合に開始される。
【００５５】
ステップＳ１において、光ディスクドライブ２１のメディア検出部６１は、メディアが検出されたかを判定する。例えば、光ディスク１１を含むメディアの挿入が開始されたかが判定される。
【００５６】
ステップＳ１において、まだメディアが検出されていないと判定された場合、処理はステップＳ１に戻り、ステップＳ１の処理が繰り返される。
【００５７】
一方、ステップＳ１において、メディアが検出されたと判定された場合、すなわちメディアの挿入が開始された場合、処理はステップＳ２に進む。
【００５８】
ステップＳ２において、カードスロット２３のカード検出部７１は、ICカード１２が検出できたかを判定する。すなわち、ICカード１２の挿入が完了したかが判定される。
【００５９】
なお、ICカード１２の挿入が完了した後にカードスロット２３により出力されるICカード１２の情報が、CPU２２の取得部８１および放送信号制御部２４の取得部１２１の少なくとも一方により取得されたかを判定することで、ICカード１２の検出を実行することもできる。
【００６０】
また、カードスロット２３のカード検出部７１のICカード１２の検出結果と、CPU２２の取得部８１および放送信号制御部２４の取得部１２１の少なくとも一方のICカード１２の検出結果を用いて、ICカード１２の検出を実行することもできる。
【００６１】
上述したICカード１２の検出方法は、本技術における他の実施の形態（例えば、後述する図８のステップＳ６３、図１４のステップＳ１４２）においても同様に適用することができる。
【００６２】
ステップＳ２において、まだICカード１２が検出できていないと判定された場合、処理はステップＳ３に進む。
【００６３】
なお、ICカード１２が検出できていない場合、放送信号制御部２４の取得部１２１は、ICカード１２の情報を取得することができない。従って、ユーザは、放送信号に基づく映像、および音声を視聴することができない。
【００６４】
ステップＳ３において、CPU２２の出力部８４は、警告情報を出力する。警告情報は、例えば、異常を知らせるメッセージ、アイコン、警告音などであり、出力部２６により出力される。
【００６５】
この実施の形態では、ICカード１２が装着されていない場合には、原則として、光ディスクドライブ２１の電源がオフであり、スロットローディング部６２によりメディアを引き込むことができない。
【００６６】
しかし、ステップＳ１の処理でメディア検出部６１によりメディアが検出されたので、光ディスクドライブ２１の電源がオフであることを表すメッセージや、ICカード１２のカードスロット２３への挿入を促すメッセージ等が警告として出力される。
【００６７】
また、テレビジョン受像機１にLED（Light Emitting Diode）、LCD（Light Emitting Diode）、FLD（Fluorescent Display）などの警告用の表示装置を設置し、設置された表示装置により警告メッセージを表示させたり、点灯、または点滅により警告したりすることもできる。
【００６８】
ステップＳ４において、CPU２２の判定部８２は、光ディスクドライブ２１の電源がオンされているかを判定する。
【００６９】
ステップＳ４において、光ディスクドライブ２１の電源がオンされていないと判定された場合、すなわち、光ディスクドライブ２１の電源がオフの場合、処理はステップＳ１に戻り、それ以降の処理が繰り返される。
【００７０】
一方、ステップＳ４において、光ディスクドライブ２１の電源がオンされていると判定された場合、ステップＳ５において、光ディスクドライブ制御部８３は、光ディスクドライブ２１の電源をオフにする。
【００７１】
すなわち、光ディスクドライブ２１の電源部６３が制御され、光ディスクドライブ２１への電源供給が禁止される。このように、カードスロット２３のカード検出部７１によりICカード１２が検出できない場合、光ディスクドライブ２１は使用不能とされる。つまりこの場合、後述するステップＳ８のメディアの引き込み動作が禁止される。
【００７２】
ステップＳ５の処理の後、処理はステップＳ１に戻り、それ以降の処理が繰り返される。
【００７３】
一方、ICカード１２がカードスロット２３に挿入されている場合、ステップＳ２においてＹＥＳと判定される。この場合、放送信号制御部２４の取得部１２１により、ICカード１２の情報が取得される。
【００７４】
チューナ１２２は、放送信号を取得する。復調部１２３は、チューナ１２２により取得された放送信号を復調する。信号処理部１２４は、復調部１２３により復調された放送信号に対して、取得部１２１により取得されたICカード１２の情報に基づいた所定の信号処理を実行する。
【００７５】
信号処理部１２４により信号処理された放送信号は、出力部１２５により出力部２６に出力される。これにより、ユーザは出力部２６により出力された放送信号に基づく映像および音声を視聴することができる。
【００７６】
ステップＳ２において、ICカード１２が検出できたと判定された場合、ステップＳ６において、CPU２２の判定部８２は、光ディスクドライブ２１の電源がオンされているかを判定する。
【００７７】
ステップＳ６において、光ディスクドライブ２１の電源がオンされていないと判定された場合、すなわち、光ディスクドライブ２１の電源がオフの場合、ステップＳ７において、CPU２２の光ディスクドライブ制御部８３は、光ディスクドライブ２１の電源をオンにする。
【００７８】
すなわち、光ディスクドライブ２１の電源部６３が制御され、光ディスクドライブ２１に電源供給が許容され、光ディスクドライブ２１は使用可能な状態とされる。
【００７９】
一方、ステップＳ６において、光ディスクドライブ２１の電源がオンされていると判定された場合、ステップＳ７の処理はスキップされ、処理はステップＳ８に進む。
【００８０】
ステップＳ８において、光ディスクドライブ２１のスロットローディング部６２は、メディアの引き込みを開始する。すなわち、メディア検出部６１により検出されたメディアが引き込まれる。つまり、メディアの引き込み動作が許容される。
【００８１】
例えば、CPU２２の光ディスクドライブ制御部８３から光ディスクドライブ２１のスロットローディング部６２に引き込みコマンドが出力され、メディア検出部６１により検出されたメディアが光ディスクドライブ２１の内部に引き込まれる。
【００８２】
ステップＳ８により、メディア（例えば光ディスク１１）の引き込み動作が許容された場合、以後、光ディスク１１に対する情報の読み書きが実行される。
【００８３】
ステップＳ８の処理の後、電源制御処理１は終了する。
【００８４】
このように、ICカード１２が、カードスロット２３のカード検出部７１により検出されていない場合、ICカード１２が光ディスクドライブ２１のスロットに誤って挿入されるおそれがある。
【００８５】
そこで、ICカード１２がカードスロット２３に挿入されていない場合には、スロットローディング部６２の電源をオフにすることで、その動作を禁止する。これにより、ICカード１２が誤って光ディスクドライブ２１に挿入されることを防止することができる。
【００８６】
しかし、図４の電源制御処理１では、ユーザがICカード１２をカードスロット２３に装着していない場合、常に光ディスク１１の読み書きをすることができない。
【００８７】
図５と図６を参照して、ユーザがICカード１２をカードスロット２３に装着していなくても、光ディスク１１の読み書きを可能にする実施の形態について説明する。
【００８８】
［テレビジョン受像機の構成］
【００８９】
図５は、テレビジョン受像機２０１の構成を示すブロック図である。
【００９０】
図５の情報処理装置としてのテレビジョン受像機２０１のうち、図１のテレビジョン受像機１と対応する要素には同じ符号が付されている。
【００９１】
すなわち、テレビジョン受像機２０１は、強制電源制御部２２１を有する点がテレビジョン受像機１と異なり、他の構成はテレビジョン受像機１と同様である。
【００９２】
強制電源制御部２２１は、強制電源スイッチ２４１を有している。強制電源制御部２２１は、入力部２５を介してユーザにより操作された強制電源スイッチ２４１の状態をCPU２２に出力することで、光ディスクドライブ２１（少なくともスロットローディング部６２）への電源供給を制御する。
【００９３】
強制電源スイッチ２４１は、オンとオフが切替るスイッチ、オンに切替えられた後、一定時間経過後にオフに切替るスイッチ、または操作中だけオンになるスイッチなどとすることができる。
【００９４】
強制電源スイッチ２４１は、例えば、トグルスイッチ、ボタンスイッチなどにより構成される。また、強制電源スイッチ２４１は、リモートコントローラなどによるボタン操作、およびGUI（Graphical User Interface）の操作により切替えることもできる。
【００９５】
さらに、強制電源スイッチ２４１は、専用のスイッチ、ボタンなどにより切替えてもよいし、既存のスイッチ、ボタンなどにより切替えてもよい。
【００９６】
［電源制御処理２］
【００９７】
次に図６を参照して、電源制御処理２について説明する。
【００９８】
図６は、テレビジョン受像機２０１の電源制御処理２を説明するフローチャートである。図６においてステップＳ２１，Ｓ２３乃至Ｓ２９の処理は、図４のステップＳ１乃至Ｓ８の処理に対応する処理である。したがって、これらの処理は繰り返しになるので簡単に説明する。
【００９９】
図６の電源制御処理２は、光ディスクドライブ２１が光ディスク１１の挿入を待機している場合に開始される。
【０１００】
ステップＳ２１において、光ディスクドライブ２１のメディア検出部６１は、メディアが検出されたかを判定する。ステップＳ２１において、まだメディアが検出されていないと判定された場合、処理はステップＳ２１に戻り、ステップＳ２１の処理が繰り返される。
【０１０１】
一方、ステップＳ２１において、メディアが検出されたと判定された場合、すなわちメディアの挿入が開始された場合、処理はステップＳ２２に進む。
【０１０２】
ステップＳ２２において、CPU２２の判定部８２は、強制電源スイッチ２４１がオンされているかを判定する。すなわち、強制電源制御部２２１から強制電源スイッチ２４１のオンが出力され、取得部８１により取得されたかが判定される。
【０１０３】
ステップＳ２２において、強制電源スイッチ２４１がオンされていないと判定された場合、すなわち、強制電源スイッチ２４１がオフの場合、処理はステップＳ２３に進む。この場合、以下、図４のステップＳ２乃至Ｓ８と同様の処理が実行される。
【０１０４】
すなわち、ステップＳ２３において、カードスロット２３のカード検出部７１は、ICカード１２が検出できたかを判定する。ステップＳ２３において、まだICカード１２が検出できていないと判定された場合、処理はステップＳ２４に進む。
【０１０５】
ステップＳ２４において、CPU２２の出力部８４は、警告情報を出力する。
【０１０６】
ステップＳ２５において、CPU２２の判定部８２は、光ディスクドライブ２１の電源がオンされているかを判定する。
【０１０７】
ステップＳ２５において、光ディスクドライブ２１の電源がオンされていないと判定された場合、処理はステップＳ２１に戻り、それ以降の処理が繰り返される。
【０１０８】
一方、ステップＳ２５において、光ディスクドライブ２１の電源がオンされていると判定された場合、ステップＳ２６において、CPU２２の光ディスクドライブ制御部８３は、光ディスクドライブ２１の電源をオフにする。
【０１０９】
ステップＳ２６の処理の後、処理はステップＳ２１に戻り、それ以降の処理が繰り返される。
【０１１０】
ユーザはICカード１２をカードスロット２３に装着していない状態において光ディスクドライブ２１を使用する場合、強制電源スイッチ２４１をオンさせる。この場合、ステップＳ２１において、強制電源スイッチ２４１がオンされていると判定される。
【０１１１】
ステップＳ２２において、強制電源スイッチ２４１がオンされていると判定された場合、およびステップＳ２３において、ICカード１２が挿入されていると判定された場合、処理はステップＳ２７に進む。
【０１１２】
ステップＳ２７において、CPU２２の判定部８２は、光ディスクドライブ２１の電源がオンされているかを判定する。
【０１１３】
ステップＳ２７において、光ディスクドライブ２１の電源がオンされていないと判定された場合、ステップＳ２８において、CPU２２の光ディスクドライブ制御部８３は、光ディスクドライブ２１の電源をオンにする。
【０１１４】
一方、ステップＳ２７において、光ディスクドライブ２１の電源がオンされていると判定された場合、ステップＳ２８の処理はスキップされ、処理はステップＳ２９に進む。
【０１１５】
ステップＳ２９において、光ディスクドライブ２１のスロットローディング部６２は、メディアの引き込みを開始する。ステップＳ２９の処理の後、電源制御処理２は終了する。
【０１１６】
このように、テレビジョン受像機２０１は、ICカード１２がカードスロット２３のカード検出部７１により検出されていない場合でも、ユーザの強制電源スイッチ２４１の操作により光ディスクドライブ２１への電源供給を許容し、光ディスクドライブ２１を使用することができる。
【０１１７】
＜第２の実施の形態＞
【０１１８】
［テレビジョン受像機の構成］
【０１１９】
図７は、第２の実施の形態におけるテレビジョン受像機３０１の構成を示すブロック図である。
【０１２０】
図７の情報処理装置としてのテレビジョン受像機３０１のうち、図１のテレビジョン受像機１と対応する要素には同じ符号が付されている。
【０１２１】
すなわち、テレビジョン受像機３０１は、強制挿入制御部３２３を有する点と、電源部６３が省略されている点（光ディスクドライブ３２１を有する点）がテレビジョン受像機１と異なり、他の構成はテレビジョン受像機１と同様である。
【０１２２】
強制挿入制御部３２３は、強制挿入スイッチ３４１を有している。強制挿入制御部３２３は、入力部２５を介してユーザに操作された強制挿入スイッチ３４１の状態をCPU２２に出力する。
【０１２３】
強制挿入スイッチ３４１は、図５の強制電源スイッチ２４１と同様の構成であり、オンとオフが切替るスイッチ、オンに切替えられた後、一定時間経過後にオフに切替るスイッチ、または操作中だけオンになるスイッチなどとすることができる。
【０１２４】
強制挿入スイッチ３４１は、例えば、トグルスイッチ、ボタンスイッチなどにより構成される。また、強制挿入スイッチ３４１は、リモートコントローラなどによるボタン操作、およびGUIの操作により切替えることもできる。
【０１２５】
さらに、強制挿入スイッチ３４１は、専用のスイッチ、ボタンなどにより切替えてもよいし、既存のスイッチ、ボタンなどにより切替えてもよい。
【０１２６】
［挿入制御処理］
【０１２７】
次に、図８と図９を参照して、挿入制御処理について説明する。
【０１２８】
図８は、テレビジョン受像機３０１の挿入制御処理を説明するフローチャートである。図８の挿入制御処理は、光ディスクドライブ３２１が光ディスク１１の挿入を待機している場合に開始される。
【０１２９】
ステップＳ６１において、光ディスクドライブ３２１のメディア検出部６１は、メディアが検出されたかを判定する。例えば、光ディスク１１を含むメディアが検出されたかが判定される。
【０１３０】
なお、光ディスク１１ではなく、ユーザが誤ってICカード１２を光ディスクドライブ３２１に挿入した場合にも、メディアが検出されたと判定される。
【０１３１】
ステップＳ６１において、まだメディアが検出されていないと判定された場合、処理はステップＳ６１に戻り、ステップＳ６１の処理が繰り返される。
【０１３２】
一方、ステップＳ６１において、メディアが検出されたと判定された場合、ステップＳ６２において、CPU２２の判定部８２は、強制挿入スイッチ３４１がオンされているかを判定する。
【０１３３】
すなわち、強制挿入制御部３２３から強制挿入スイッチ３４１のオンが出力され、取得部８１により取得されたかが判定される。
【０１３４】
ステップＳ６２において、強制挿入スイッチ３４１がオンされていないと判定された場合、すなわち、強制挿入スイッチ３４１がオフの場合、処理はステップＳ６３に進む。
【０１３５】
ステップＳ６３において、カードスロット２３のカード検出部７１は、ICカード１２が検出できたかを判定する。すなわち、ICカード１２の挿入が完了したかが判定される。
【０１３６】
ステップＳ６３において、まだICカード１２が検出できていないと判定された場合、ステップＳ６４において、引き込み防止処理が実行される。図９を参照して、引き込み防止処理について説明する。
【０１３７】
［引き込み防止処理１］
【０１３８】
図９は、引き込み防止処理１を説明するフローチャートである。
【０１３９】
ステップＳ８１において、光ディスクドライブ３２１のスロットローディング部６２は、メディアの排出処理を開始する。すなわち、メディア検出部６１により検出されたメディアが排出される。
【０１４０】
例えば、CPU２２の光ディスクドライブ制御部８３から光ディスクドライブ３２１のスロットローディング部６２に排出コマンドが出力され、メディア検出部６１により検出されたメディアが排出される。
【０１４１】
排出処理により実行される排出動作は、例えば、光ディスクドライブ３２１に挿入されるメディアを一定時間排出する動作、間欠的に排出する動作、または所定の挿入量までは引き込んだ後、排出する動作などとすることができる。
【０１４２】
ステップＳ８２において、CPU２２の出力部８４は、警告情報を出力する。
【０１４３】
この実施の形態では、ICカード１２が装着されていない場合には、原則として、光ディスク１１を読み書きできないにも拘わらず、メディアが検出されたので、使用不可であることを表すメッセージが警告として出力される。
【０１４４】
ステップＳ８２の処理の後、引き込み防止処理１は終了し、処理は図８のステップＳ６５に進む。
【０１４５】
図８のステップＳ６５において、光ディスクドライブ３２１のメディア検出部６１は、メディアの挿入が完了したかを判定する。
【０１４６】
すなわち、意図に反する排出動作が実行され、警告が出力されたにも拘らず、ユーザにより誤操作が実行され（例えばICカード１２が光ディスクドライブ３２１にスロットインされ）、光ディスクドライブ３２１にメディアが引き込まれたかが判定される。
【０１４７】
ステップＳ６５において、メディアの挿入が完了しなかったと判定された場合、すなわち、ユーザが誤操作に気付きメディアの挿入を停止した場合、処理はステップＳ６１に戻り、それ以降の処理が繰り返される。
【０１４８】
一方、ステップＳ６２において、強制挿入スイッチ３４１がオンされていると判定された場合、およびステップＳ６３において、ICカード１２が検出できたと判定された場合、処理はステップＳ６６に進む。
【０１４９】
ステップＳ６６において、光ディスクドライブ３２１のスロットローディング部６２は、メディアの引き込みを開始する。すなわち、メディア検出部６１により検出されたメディアが引き込まれる。つまり、メディアの引き込み動作が許容される。
【０１５０】
例えば、CPU２２の光ディスクドライブ制御部８３から光ディスクドライブ３２１のスロットローディング部６２に引き込みを指示する引き込みコマンドが出力され、メディア検出部６１により検出されたメディアが光ディスクドライブ３２１に引き込まれる。
【０１５１】
ステップＳ６６の処理の後、およびステップＳ６５において、メディアの挿入が完了したと判定された場合、挿入制御処理は終了する。
【０１５２】
このように、テレビジョン受像機３０１は、ICカード１２がカードスロット２３に挿入されていない場合、ユーザにより光ディスクドライブ３２１に挿入されるメディアを排出するとともに、警告をすることで、スロットローディング部６２によるメディアの引き込み動作を禁止する。
【０１５３】
これにより、ICカード１２が誤って光ディスクドライブ２１に挿入されることを抑制することができる。
【０１５４】
［引き込み防止処理２］
【０１５５】
次に、図１０を参照して、図８のステップＳ６４の引き込み防止処理の他の例について説明する。図１０においてステップＳ１０２，Ｓ１０３の処理は、図９のステップＳ８１，Ｓ８２の処理に対応する処理である。したがって、これらの処理は繰り返しになるので簡単に説明する。
【０１５６】
ステップＳ１０１において、CPU２２の判定部８２は、所定の時間が経過したかを判定する。すなわち、図８のステップＳ６３の処理で、最初にNO（ICカード１２が検出できていない）と判定されてから所定の時間が経過したかが判定される。
【０１５７】
具体的には、図８のステップＳ６３で、最初にNOと判定されてから、ステップＳ６４，Ｓ６５，Ｓ６１，Ｓ６２，Ｓ６３，Ｓ６４，・・・の順番で処理が繰り返されている間、判定部８２より時間がカウントされ、カウントされた時間が所定の値に達したかが判定される。
【０１５８】
ステップＳ１０１において、まだ所定の時間が経過していないと判定された場合、ステップＳ１０２において、光ディスクドライブ３２１のスロットローディング部６２は、メディアの排出処理を開始する。すなわち、メディア検出部６１により検出されたメディアが排出される。
【０１５９】
ステップＳ１０３において、CPU２２の出力部８４は、警告情報を出力する。ステップＳ１０３の処理の後、処理は図８のステップＳ６５に進み、それ以降の処理が繰り返される。
【０１６０】
一方、ステップＳ１０１において、所定の時間が経過したと判定された場合、ステップＳ１０４において、光ディスクドライブ３２１のスロットローディング部６２は、メディアの排出処理を停止する。
【０１６１】
スロットローディング部６２により排出処理が長時間実行され続けると、スロットローディング部６２が故障するおそれがある。従って、所定の時間が経過した後、排出処理を停止することで、光ディスクドライブ３２１の故障を防ぐことができる。
【０１６２】
ステップＳ１０４の処理の後、処理は図８のステップＳ６５に進む。
【０１６３】
ステップＳ１０４の処理で排出処理が停止された場合、ユーザによりメディアが強制的に光ディスクドライブ３２１に押し込まれたとき、ステップＳ６５の処理でYES（メディアの挿入が完了した）と判定され、図８の挿入制御処理は終了する。
【０１６４】
なお、例えば、メディアとして光ディスク１１が強制的に押し込まれた場合、押し込まれた光ディスク１１は読み書きできないようにしてもよい。
【０１６５】
［引き込み防止処理３］
【０１６６】
次に、図１１を参照して、図８のステップＳ６４の引き込み防止処理のさらに他の例について説明する。図１１においてステップＳ１２１乃至Ｓ１２３の処理は、図１０のステップＳ１０１乃至Ｓ１０３の処理に対応する処理である。したがって、これらの処理は繰り返しになるので簡単に説明する。
【０１６７】
ステップＳ１２１において、CPU２２の判定部８２は、所定の時間が経過したかを判定する。すなわち、図８のステップＳ６３の処理で、最初にNOと判定されてから所定の時間が経過したかが判定される。
【０１６８】
ステップＳ１２１において、まだ所定の時間が経過していないと判定された場合、ステップＳ１２２において、光ディスクドライブ３２１のスロットローディング部６２は、メディアの排出処理を開始する。
【０１６９】
ステップＳ１２３において、CPU２２の出力部８４は、警告情報を出力する。ステップＳ１２３の処理の後、処理は図８のステップＳ６５に進み、それ以降の処理が繰り返される。
【０１７０】
一方、ステップＳ１２１において、所定の時間が経過したと判定された場合、ステップＳ１２４において、光ディスクドライブ３２１のスロットローディング部６２は、メディアの引き込みを開始する。すなわち、図８のステップＳ６１の処理でメディア検出部６１により検出されたメディアが引き込まれる。
【０１７１】
スロットローディング部６２により排出処理が長時間実行され続けると、スロットローディング部６２が故障するおそれがある。従って、所定の時間が経過した後、メディアの引き込みを開始することで、光ディスクドライブ３２１の故障を防ぐことができる。
【０１７２】
ステップＳ１２４の処理の後、処理は図８のステップＳ６５に進む。
【０１７３】
ステップＳ１２４の処理でメディアが引き込まれた場合、図８のステップＳ６５の処理で、YES（メディアの挿入が完了した）と判定され、図８の挿入制御処理は終了する。
【０１７４】
このように、図８のステップＳ６４の引き込み防止処理としては、図９乃至図１１を参照して説明した引き込み防止処理１乃至３のいずれかの処理を採用することができる。
【０１７５】
＜第３の実施の形態＞
【０１７６】
［テレビジョン受像機の構成］
【０１７７】
図１２は、第３の実施の形態におけるテレビジョン受像機４０１の構成を示すブロック図である。
【０１７８】
図１２の情報処理装置としてのテレビジョン受像機４０１のうち、図７のテレビジョン受像機３０１と対応する要素には同じ符号が付されている。
【０１７９】
すなわち、テレビジョン受像機４０１は、CPU４２１、アクチュエータ４２２、蓋４２３、強制開放制御部４２４を有する点がテレビジョン受像機３０１と異なり、他の構成はテレビジョン受像機３０１と同様である。
【０１８０】
CPU４２１は、プログラムに従って各種の動作を制御する。図１３を参照して、CPU４２１の機能的な構成について説明する。
【０１８１】
図１３は、CPU４２１の機能的な構成例を示すブロック図である。図１３のCPU４２１のうち、図２のCPU２２と対応する要素には同じ符号が付されている。
【０１８２】
すなわち、CPU４２１は、アクチュエータ制御部４８１を有する点がCPU２２と異なり、他の構成はCPU２２と同様である。アクチュエータ制御部４８１は、アクチュエータ４２２を制御する。
【０１８３】
図１２のアクチュエータ４２２は、CPU４２１の制御（すなわち、アクチュエータ制御部４８１の制御）により、光ディスクドライブ３２１の挿入口に設置された蓋４２３を開閉させる。
【０１８４】
強制開放制御部４２４は、強制開放スイッチ４４１を有している。強制開放制御部４２４は、入力部２５を介してユーザにより操作された強制開放スイッチ４４１の状態をCPU４２１に出力する。
【０１８５】
強制開放スイッチ４４１は、図５の強制電源スイッチ２４１、図７の強制挿入スイッチ３４１と同様の構成であり、オンとオフが切替るスイッチ、オンに切替えられた後、一定時間経過後にオフに切替るスイッチ、または操作中だけオンになるスイッチなどとすることができる。
【０１８６】
強制開放スイッチ４４１は、例えば、トグルスイッチ、ボタンスイッチなどにより構成される。また、強制開放スイッチ４４１は、リモートコントローラなどによるボタン操作、およびGUIの操作により切替えることもできる。
【０１８７】
さらに、強制開放スイッチ４４１は、専用のスイッチ、ボタンなどにより切替えてもよいし、既存のスイッチ、ボタンなどにより切替えてもよい。
【０１８８】
［蓋制御処理］
【０１８９】
図１４を参照して、蓋制御処理について説明する。
【０１９０】
図１４は、テレビジョン受像機４０１の蓋制御処理を説明するフローチャートである。図１４の蓋制御処理は、光ディスクドライブ３２１が光ディスク１１の挿入を待機している場合に開始される。
【０１９１】
ステップＳ１４１において、CPU４２１の判定部８２は、強制開放スイッチ４４１がオンされているかを判定する。すなわち、強制開放制御部４２４から強制開放スイッチ４４１のオンが出力され、取得部８１により取得されたかが判定される。
【０１９２】
ステップＳ１４１において、強制開放スイッチ４４１がオンされていないと判定された場合、すなわち、強制開放スイッチ４４１がオフの場合、処理はステップＳ１４２に進む。
【０１９３】
ステップＳ１４２において、カードスロット２３のカード検出部７１は、ICカード１２が検出できたかを判定する。すなわち、ICカード１２の挿入が完了したかが判定される。
【０１９４】
ステップＳ１４２において、ICカード１２が検出できていないと判定された場合、ステップＳ１４３において、CPU４２１の出力部８４は、警告情報を出力する。例えば「ICカードが挿入されていません。」といったメッセージが表示される。
【０１９５】
ステップＳ１４４において、CPU４２１の判定部８２は、蓋４２３が閉じているかを判定する。すなわち、アクチュエータ４２２の駆動により、蓋４２３が閉じているかが判定される。
【０１９６】
ステップＳ１４４において、蓋４２３が閉じていると判定された場合、処理はステップＳ１４１に戻り、それ以降の処理が繰り返される。
【０１９７】
一方、ステップＳ１４４において、蓋４２３が閉じていないと判定された場合、すなわち、蓋４２３が開いている場合、ステップＳ１４５において、CPU４２１のアクチュエータ制御部４８１は、アクチュエータ４２２に蓋閉鎖コマンドを出力する。
【０１９８】
すなわち、蓋閉鎖コマンドが入力されると、アクチュエータ４２２は、蓋４２３を閉じるように駆動する。これにより、メディアの引き込み動作が禁止される。ステップＳ１４５の処理の後、処理はステップＳ１４１に戻り、それ以降の処理が繰り返される。
【０１９９】
ICカード１２をカードスロット２３に装着しない状態で光ディスクドライブ３２１を使用する場合、ユーザは強制開放スイッチ４４１をオンさせる。
【０２００】
この場合、ステップＳ１４１において、強制開放スイッチがオンされていると判定される。蓋４２３の開放が指示された場合、およびステップＳ１４２において、ICカード１２が挿入されていると判定された場合、処理はステップＳ１４６に進む。
【０２０１】
ステップＳ１４６において、CPU４２１の判定部８２は、蓋４２３が開いているかを判定する。すなわち、アクチュエータ４２２により、蓋４２３が開放されているかが判定される。
【０２０２】
ステップＳ１４６において、蓋が開いていないと判定された場合、すなわち、蓋４２３が閉じている場合、ステップＳ１４７において、CPU４２１のアクチュエータ制御部４８１は、アクチュエータ４２２に蓋開放コマンドを出力する。
【０２０３】
すなわち、蓋の開放を指示する蓋開放コマンドが入力されると、アクチュエータ４２２は、蓋４２３を開けるように駆動する。
【０２０４】
一方、ステップＳ１４６において、蓋４２３が開いていると判定された場合、ステップＳ１４７の処理はスキップされ、処理はステップＳ１４８に進む。
【０２０５】
ステップＳ１４８において、光ディスクドライブ３２１のメディア検出部６１は、メディアが検出されたかを判定する。例えば、光ディスク１１を含むメディアが検出されたかが判定される。
【０２０６】
ステップＳ１４８において、まだメディアが検出されていないと判定された場合、処理はステップＳ１４１に戻り、それ以降の処理が繰り返される。
【０２０７】
一方、ステップＳ１４８において、メディアが検出されたと判定された場合、ステップＳ１４９において、光ディスクドライブ３２１のスロットローディング部６２は、メディアの引き込みを開始する。
【０２０８】
すなわち、メディア検出部６１により検出されたメディアが光ディスクドライブ３２１の内部に引き込まれる。つまり、メディアの引き込み動作が許容される。
【０２０９】
ステップＳ１４９の処理の後、蓋制御処理は終了する。
【０２１０】
このように、テレビジョン受像機４０１は、ICカード１２がカードスロット２３に挿入されていない場合、光ディスクドライブ３２１の挿入口を蓋４２３により塞ぐことにより、スロットローディング部６２の動作を禁止する。
【０２１１】
これにより、ICカード１２が誤って光ディスクドライブ２１に挿入されることを抑制することができる。
【０２１２】
［その他］
【０２１３】
本技術の実施の形態は、上述した実施形態に限定されるものではなく、本技術の要旨を逸脱しない範囲において種々の変更が可能である。また、本技術の実施の形態は、一部の機能を他の装置が有していても良い。
【０２１４】
なお、本技術は以下のような構成も取ることができる。
（１）所定のカードを検出するカード検出部と、メディアを引き込む引き込み部と、前記カード検出部の検出結果に基づいて、前記引き込み部を制御する制御部とを備える情報処理装置。
（２）前記制御部は、前記カード検出部により前記所定のカードが検出された場合、前記引き込み部の動作を許容し、前記カード検出部により前記所定のカードが検出されない場合、前記引き込み部の動作を禁止する前記（１）に記載の情報処理装置。
（３）前記制御部は、前記カード検出部により前記所定のカードが検出された場合、前記引き込み部への電源供給を許容し、前記カード検出部により前記所定のカードが検出されない場合、前記引き込み部への電源供給を禁止する前記（１）または（２）に記載の情報処理装置。
（４）前記引き込み部への電源供給を制御する強制電源制御部をさらに備え、前記制御部は、前記強制電源制御部により電源供給が指示された場合、前記カード検出部の検出結果に拘らず、前記引き込み部への電源供給を許容する前記（１）から（３）のいずれかに記載の情報処理装置。
（５）前記メディアを検出するメディア検出部をさらに備え、前記制御部は、前記カード検出部により前記所定のカードが検出されておらず、かつ、前記メディア検出部により前記メディアが検出された場合、前記引き込み部に前記メディアを排出させる前記（１）または（２）に記載の情報処理装置。
（６）前記引き込み部は、前記メディアを排出する動作の開始後、所定時間が経過した場合、前記メディアを引き込む前記（５）に記載の情報処理装置。
（７）前記カード検出部により前記所定のカードが検出されなかった場合、警告情報を出力する出力部をさらに備える前記（１）から（６）のいずれかに記載の情報処理装置。
（８）前記引き込み部に前記メディアの引き込みを指示する強制挿入制御部をさらに備え、前記制御部は、前記強制挿入制御部により引き込みが指示された場合、前記カード検出部の検出結果に拘らず、前記メディアを引き込むように前記引き込み部を制御する前記（１）、（５）から（７）のいずれかに記載の情報処理装置。
（９）前記引き込み部の挿入口に設置された蓋を制御する蓋制御部をさらに備え、前記蓋制御部は、前記カード検出部により前記所定のカードが検出された場合、前記蓋を開放し、前記カード検出部により前記所定のカードが検出されていない場合、前記蓋を閉鎖する前記（１）から（８）のいずれかに記載の情報処理装置。
（１０）前記蓋制御部に前記蓋の開放を指示する強制開放制御部をさらに備え、前記蓋制御部は、前記強制開放制御部により前記蓋の開放が指示された場合、前記カード検出部による検出結果に拘らず、前記蓋を開放する前記（９）に記載の情報処理装置。
（１１）所定のカードを検出するカード検出ステップと、メディアを引き込む引き込みステップと、前記カード検出ステップの処理の検出結果に基づいて、前記引き込みステップの処理を制御する制御ステップとを含む情報処理方法。
（１２）コンピュータに、所定のカードを検出するカード検出ステップと、メディアを引き込む引き込みステップと、前記カード検出ステップの処理の検出結果に基づいて、前記引き込みステップの処理を制御する制御ステップとを実行させるためのプログラム。
【符号の説明】
【０２１５】
１  テレビジョン受像機，  ６１  メディア検出部，  ６２  スロットローディング部，  ７１  カード検出部７１，  ８３  光ディスクドライブ制御部，  ８４  出力部，  ２０１  テレビジョン受像機，  ２２１  強制電源制御部，  ３０１  テレビジョン受像機，  ３２３  強制挿入制御部，  ４０１  テレビジョン受像機，  ４２２  アクチュエータ，  ４２３  蓋，  ４２４  強制開放制御部，  ４８１  アクチュエータ制御部
【図１】
2013012268.tif 000003
【図２】
2013012268.tif 000004
【図３】
2013012268.tif 000005
【図４】
2013012268.tif 000006
【図５】
2013012268.tif 000007
【図６】
2013012268.tif 000008
【図７】
2013012268.tif 000009
【図８】
2013012268.tif 000010
【図９】
2013012268.tif 000011
【図１０】
2013012268.tif 000012
【図１１】
2013012268.tif 000013
【図１２】
2013012268.tif 000014
【図１３】
2013012268.tif 000015
【図１４】
2013012268.tif 000016